(57)【要約】  回転軸及び／又は並進軸（１６，１７）を介して互いに対して移動するよう配置されるハンドル（１２）と切断ヘッド（１３）とを含むシェーバが開示されている。この動作は髭剃り中に皮膚輪郭追従を促進して近接切断を達成する。ハンドル（１２）はレーザビームを放射するレーザ源を含み、シェーバは、レーザビームの一部が回転軸と一致し且つ／或いは並進軸と平行であるよう、レーザビームの一部を方向付ける光学素子（２３，２５，２６，３７，４０，４２）を含む光学系を有する。このようにして、切断ヘッド（１３）が移動させられるときに、レーザ源と、光学素子（２３，２５，２６，３７，４０，４２）と、切断ゾーン（２８）との間の光学的整列は変わらない。
2015509748.tif 000002
【特許請求の範囲】
【請求項１】
使用中に切断ヘッドが皮膚の輪郭に追従するよう、回転軸についてハンドルに対して回転するよう配置される、前記ハンドルに取り付けられる前記切断ヘッドと、前記ハンドル内のレーザビーム発生器と、毛を切断するために前記レーザ発生器によって放射されるレーザビームを前記切断ヘッド内に方向付けるための光学系とを含み、
該光学系は、前記レーザ発生器によって放射される前記レーザビームの光軸の一部が前記回転軸と一致するよう構成され、前記切断ヘッドは、前記回転軸について前記ハンドルに対して回転可能である、
シェーバ。
【請求項２】
使用中に切断ヘッドが皮膚の輪郭に追従するよう、並進軸に沿ってハンドルに対して直線的に移動するよう配置される、前記ハンドルに取り付けられる前記切断ヘッドと、前記ハンドル内のレーザビーム発生器と、毛を切断するために前記レーザ発生器によって放射されるレーザビームを前記切断ヘッド内に方向付けるための光学系とを含み、
該光学系は、前記レーザ発生器によって放射される前記レーザビームの光軸の一部が前記並進軸と平行であるよう構成され、前記切断ヘッドは、前記並進軸に沿って前記ハンドルに対して並進する、
シェーバ。
【請求項３】
前記切断ヘッドは、前記回転軸について及び前記並進軸に沿って前記ハンドルに対して移動可能であり、前記レーザビームの前記光軸の一部が前記回転軸と一致し、前記光軸の一部が前記並進軸と平行でもある、請求項１及び２に記載のシェーバ。
【請求項４】
前記光学系は、前記レーザ発生器から放射されるレーザビームを前記回転軸に沿って方向付けるために、前記回転軸の上に位置し且つ前記ハンドルに対して固定される第１の光学素子を含む、請求項１又は３に記載のシェーバ。
【請求項５】
前記光学系は、前記光軸と一致するレーザビームを前記切断ヘッド内に方向付けるために、前記回転軸の上に位置し且つ前記切断ヘッドに対して固定される第２の光学素子を含む、請求項４に記載のシェーバ。
【請求項６】
前記切断ヘッドは、当該シェーバの使用中に切断されるべき毛を受け入れる切断ゾーンを含み、前記光学系は、前記切断ヘッド内に第３の光学素子を含み、該第３の光学素子は、前記第２の光学素子からの前記レーザビームを前記切断ゾーン内に反射するよう位置付けられる、請求項５に記載のシェーバ。
【請求項７】
前記切断ヘッドは、当該シェーバの使用中に切断されるべき毛を受け入れる切断ゾーンを含み、前記光学系は、前記レーザビームを前記切断ゾーン内に方向付けるために前記切断ヘッド内に位置付けられる少なくとも１つの光学素子を含む、請求項２又は３に記載のシェーバ。
【請求項８】
前記光学系は、前記レーザ発生器によって放射されるレーザビームを前記並進軸に沿ってある方向に方向付けるために、前記ハンドル内に少なくとも１つの光学素子も含む、請求項７に記載のシェーバ。
【請求項９】
前記又は各光学素子は、反射器を含む、請求項４乃至８のうちの何れか１項に記載のシェーバ。
【請求項１０】
前記切断ヘッドが皮膚の上で移動させられるときに毛を前記切断ゾーン内に操るために、櫛、ラメラ、鈍い刃、リトラクタ、ストレッチャ、及び／又は潤滑片を含む、請求項１乃至９のうちの何れか１項に記載のシェーバ。
【請求項１１】
前記ハンドルは、別個の光軸に沿ってレーザビームを放射する多数のレーザ発生器を含み、各レーザビームは、毛を切断するために前記切断ヘッド内に向けられる、請求項１乃至１０のうちの何れか１項に記載のシェーバ。
【発明の詳細な説明】
【技術分野】
【０００１】
この発明は毛を切断するためのシェーバ（髭剃り）に関する。
【背景技術】
【０００２】
毛を切断するために切断ブレードの配置に依存するよりもむしろレーザに依存するシェーバ又は髭剃り（剃刀）を提供することが知られている。ブレードを備えないシェーバは、より少ない移動部品を有し、よって、摩耗が削減され、それは機械的シェーバに対する利点をもたらす。更に、皮膚表面と接触する鋭利な物体がないので、レーザの使用は皮膚刺激を減少させ得る。
【０００３】
レーザシェーバは光学的吸収によって作動し、レーザビームに晒される毛はビームのエネルギを吸収し、毛を蒸発させ且つ／或いは切断させる。
【０００４】
髭剃り性能は、典型的には、２つの基準、即ち、剃刀の近さ及び皮膚の刺激によって測られる。レーザシェーバは、皮膚と接触する切断素子がないので、本来的に刺激に関して良い実行体である。しかしながら、切断の近接性は重要であり、常に近接した切断を達成し且つ無精ひげを最小限化するためには、皮膚輪郭追従が必要である。機械的シェーバは、典型的には、移動可能な髭剃りヘッドを備え、髭剃りヘッドが適用される皮膚の輪郭に髭剃りヘッドが追従するよう、髭剃りヘッドがハンドルに対して移動することを可能にする。移動可能な切断ヘッドがシェーバの本体又はハンドルに対して回転し得るように、且つ／或いは皮膚に対する切断ヘッドの実質的に一定の圧力が維持されるよう移動可能な切断ヘッドがハンドルに向かう方向及びハンドルから離れる方向において直線的に並進（平行移動）し得るように、移動可能な切断ヘッドを取り付け得る。髭剃りヘッドがユーザの皮膚に押し付けられないときに髭剃りヘッドが取る初期設定位置又は中立位置に向かって髭剃りヘッドを付勢するよう、バネ取付台を介して切断ヘッドをハンドルに取り付け得る。
【０００５】
毛を切断するためにレーザを利用するシェーバを提供することがＷＯ９２／１６３３８及びＵＳ５，９９３，４４０から知られており、それはレーザビームを切断ゾーン内に方向付けるために反射素子を使用し、切断ゾーンにおいて、レーザビームは皮膚表面に近接して皮膚表面と実質的に平行に延び、毛が切断ゾーンを通じて移動するときに毛を切断する。しかしながら、これらの両方の文献から既知であるシェーバは固定ヘッド型であり、皮膚の輪郭を追従しない。
【発明の概要】
【発明が解決しようとする課題】
【０００６】
本発明は、上述の問題を克服し或いは実質的に軽減し、且つ光学的吸収によって毛を切断し且つ皮膚の輪郭に追従し得る、レーザシェーバを提供することを求める。本発明は、装置内のレーザの最適な整列を維持しながら、シェーバの本体又はハンドルに対して移動可能である、即ち、回転可能及び／又は並進可能である切断ヘッドを含むことによって、満足な切断長を達成することを求める。
【課題を解決するための手段】
【０００７】
本発明によれば、使用中に切断ヘッドが皮膚の輪郭に追従するよう、回転軸についてハンドルに対して回転するよう配置される、ハンドルに取り付けられる切断ヘッドと、ハンドル内のレーザビーム発生器と、毛を切断するためにレーザ発生器によって放射されるレーザビームを切断ヘッド内に方向付けるための光学系とを含み、光学系はレーザ発生器によって放射されるレーザビームの光軸の一部が回転軸と一致するよう構成され、切断ヘッドは回転軸についてハンドルに対して回転可能である、シェーバが提供される。
【０００８】
本発明の他の特徴によれば、使用中に切断ヘッドが皮膚の輪郭に従うように、並進軸に沿ってハンドルに対して直線的に移動するよう配置されるハンドルに取り付けられる切断ヘッドと、ハンドル内のレーザビーム発生器と、毛を切断するためにレーザ発生器によって放射されるレーザビームを切断ヘッド内に方向付けるための光学系とを含み、光学系はレーザ発生器によって放射されるレーザビームの光軸の一部が並進軸と平行であるよう構成され、切断ヘッドは並進軸に沿ってハンドルに対して並進する、シェーバが提供される。
【０００９】
好適実施態様において、切断ヘッドは回転軸について及び並進軸に沿って前記ハンドルに対して移動可能であり、レーザビームの光軸の一部が回転軸と一致し、光軸の一部が並進軸と平行でもある。
【００１０】
切断ヘッドがハンドルに対して移動するとき、切断ヘッドは髭剃り中に皮膚の輪郭に追従して近接切断を達成する。レーザビームが切断ヘッドの動作の軸と一致するよう方向付けられるとき、ハンドルに対する切断ヘッドの移動にも拘わらず、レーザ源と反射素子との間の光学的整列は変わらない。切断ヘッドは髭剃り中にユーザの皮膚に向かって或いはユーザの皮膚から離れる方向に移動し得るので、皮膚に対するシェーバの圧力を制御し得る。
【００１１】
レーザビームを方向付けるための手段は、レーザ発生器から放射されるレーザビームを回転軸に沿って方向付けるために、回転軸の上に位置し且つハンドルに対して固定される第１の光学素子を含むのが好ましい。光学素子は回転軸の上に位置するので、レーザビームが切断ヘッド内に方向変更される前に、レーザビームを光軸に沿って方向付け得る。従って、ハンドルに対する切断ヘッドの角向きは光軸に対する影響を有さず、レーザビームは依然として切断ヘッド内で同じ光路に沿って方向付けられる。
【００１２】
レーザビームを方向付けるための手段は、光軸と一致するレーザビームを切断ヘッド内に方向付けるために、回転軸の上に位置し且つ切断ヘッドに対して固定される第２の光学素子を含み得る。
【００１３】
切断ヘッドはシェーバの使用中に切断されるべき毛を受け入れる切断ゾーンを含むのが好ましく、光学系は切断ヘッド内に第３の光学素子を含み、第３の光学素子は第２の光学素子からのレーザビームを切断ゾーン内に反射するよう位置付けられる。レーザビームは回転軸に沿って方向付けられるので、第２の光学素子がレーザビームを光軸から離れる方向に並びに切断ヘッド内に方向付け、そこから、切断ゾーン内に受け入れられる毛を切断するために、レーザビームを第３の光学素子によって切断ゾーン内に更に方向変更し得る。
【００１４】
切断ヘッドはシェーバの使用中に切断されるべき毛を受け入れる切断ゾーンを含み得る。レーザビームを切断ゾーン内に方向付けるために、少なくとも１つの光学素子が切断ヘッド内に位置付けられる。光軸はハンドルと切断ヘッドとの間で並進軸と平行に延びるので、ハンドルから離れる或いはハンドルに向かう切断ヘッドの動作は、切断ゾーン内に受け入れられる毛を切断するよう切断ゾーン内に依然として方向付けられるレーザビームの方向に影響を有さず、唯一の相違は、切断ヘッドがハンドルに向かう方向に並進させられるときよりも、切断ヘッドがハンドルから更に離れる方向に並進させられるときに、レーザが反射器の間で僅かにより大きい距離を進行することである。
【００１５】
光学系は、レーザ発生器によって放射されるレーザビームを並進軸に沿ってある方向に方向付けるために、ハンドル内に少なくとも１つの光学素子を含むのが好ましい。
【００１６】
如何なる実施態様においても、光学素子は、レーザビームを反射する反射器を含み得る。
【００１７】
何れかの実施態様において、切断ヘッドが皮膚の上で移動させられるときに毛を切断ゾーン内に操るために、櫛(comb)、ラメラ(lamella)、鈍い刃(blunt  blade)、リトラクタ(retractor)、ストレッチャ(stretcher)、潤滑片(lubrastrip)等を含む。
【００１８】
他の実施態様において、ハンドルは別個の光軸に沿ってレーザビームを放射する多数のレーザ発生器を含み得る。各レーザビームは毛を切断するために切断ヘッド内に向けられる。
【００１９】
次に、図面を参照して、一例として、好適実施態様を記載する。
【図面の簡単な説明】
【００２０】
【図１】従来技術におけるように毛を切断するためにレーザを利用するシェーバヘッドを示す概略図である。
【図２】本発明のある実施態様に従って互いに回転可能に取り付けられる切断ヘッドとハンドルとを含むシェーバを簡略化して示す斜視図である。
【図３ａ】レーザ発生器から切断ゾーンまでの光路を示す線を含む図２のシェーバを示す正面図である。
【図３ｂ】レーザ発生器から切断ゾーンまでの光路を示す線を含む図２のシェーバを示す側面図である。
【図４】切断ヘッド及びハンドルを同様に含むが、切断ヘッドはハンドルから離れる方向に並びにハンドルに向かう方向に直線的に移動可能である、本発明のある実施態様に従ったシェーバの第２の実施態様を示す図である。
【図５】ハンドルと切断ヘッドとの間の並進接続のための代替的な光学的配置を示す図である。
【図６】レーザ源のための代替的な向きを示す図である。
【図７】ハンドルと切断ヘッドとの間の並進接続のための他の代替的な光学的配置を示す図である。
【図８】ハンドルと切断ヘッドとの間の並進及び回転接続のための光学的配置を示す図である。
【発明を実施するための形態】
【００２１】
毛を切断するためにレーザを用いるシェーバは、レーザビームが切断平面内に正確に向けられるのを保証するために、レーザ源、レンズのような光学構成部品、反射素子、及び他の構成部品の正確な整列に依存する。如何なる僅かの不整列も切断効率の減少を招き、皮膚をレーザビームに晒し、それは不快をもたらし得る。切断ヘッドの移動は、切断ヘッドがユーザの皮膚の輪郭に密接に追従することを保証するために望ましいが、レーザ発生器が配置されるシェーバの本体又はハンドルに対する切断ヘッドの移動は、構成部品の連続的で正確な整列を保証することを困難にする。
【００２２】
図面を参照すると、図１は、当該技術分野において知られているレーザシェーバ１の概略図を示している。レーザシェーバ１は、本体２と、２つのレーザ源３と、２つの反射素子４とを含む。本体２の切断ヘッドだけが示されているが、このシェーバ１は、ユーザが切断ヘッドを保持し且つ切断ヘッドを皮膚５の上で移動させるのを可能にするよう、切断ヘッドに剛的に付着するハンドルも含む。
【００２３】
切断ヘッドは、シェーバ１が皮膚５の上で移動させられるときに、毛７を切断ゾーン８内に操る櫛６を含む。櫛の代わりに又は櫛に加えて、切断ヘッドは、ラメラ、鈍い刃、リトラクタ（牽引具）、ストレッチャ（伸長具）、又は潤滑片(潤滑ストリップ)も含み得る。全てのものは、毛を操るために或いはシェーバと皮膚との間に潤滑をもたらすために、既存のシェーバから知られている。レーザ源３は、切断ヘッドの両側に配置され、各レーザ源３は、レーザビーム９を反射素子４に向かって方向付け、反射素子４は、レーザビーム９を９０度を通じて櫛６に隣接する切断ゾーン８を横断して反射するよう位置付けられる。このようにして、毛７はレーザビーム１０が切断ゾーン８を通過するときにレーザビーム１０に晒され、毛７は光学的吸収によって切断される。反射素子４は、異なる長さで毛７を切断する２つの切断ビーム１０があるよう位置付けられる。即ち、一方の反射素子は、他方の反射素子よりも櫛６から更に離れて配置される。２つのレーザビーム１０が毛７を２つの異なる位置において同じ長さに切断するよう、２つの切断ビーム１０が同じ高さにあるが、切断ゾーン８内で互いに隣接し合うようレーザ源３及び反射素子４を位置付けることも可能である。
【００２４】
図２は、本発明のある実施態様に従ったシェーバ１１の簡略図を示しており、シェーバ１１は、切断ヘッド１３がハンドル１２に対して旋回し得るよう、蝶番のような接続部分１４によって接合されるハンドル１２と切断ヘッド１３とを含む。切断ヘッド１３は切断ゾーン１５を含み、シェーバ１１が使用されるとき、毛は切断ゾーン１５内に受け入れられる。切断ヘッド１３が皮膚を横断して移動させられるときに切断ヘッド１３が皮膚の輪郭に追従するよう、接続部分１４は切断ヘッド１３がハンドル１２に対して旋回するのを可能にし、それは満足な切断長を達成し且つ無精ひげを最小限化するのに有用である。切断ヘッド１３は、存在する圧力、速度、又は皮膚摩擦に拘わらず、皮膚の輪郭に追従し得なければならない。
【００２５】
切断ヘッド１３とハンドル１２との間の回転接続は、切断ヘッド１３が皮膚の輪郭に追従するのをより良く可能にする。レーザ発生器はハンドル１２内に配置され、以下により詳細に説明するように、切断ヘッドとハンドルとの間の回転接続を通じて、最適な整列が維持される。
【００２６】
図３は、図２に示されるシェーバ１１の更なる図を示している。ハンドル１２はレーザ発生器２１を含み、レーザ発生器２１は切断ヘッド１３に向かってレーザビーム２２を放射し、コリメーション及び集束光学素子（図示せず）を含む。シェーバ１１は、レーザビームに適合する程に十分に大きい、全反射又は任意の他の種類の反射によって作動する誘電体反射鏡、金属反射鏡、又はプリズムを含む反射器のような、光学素子を含む。第１の反射器２３がハンドル１３に固定され、レーザ発生器２１からのレーザビーム２２を受け入れ且つそれを９０度を通じて方向変更するよう位置付けられるので、方向変更されるレーザビーム２２は回転軸１６と一致する。第２の反射器２５が切断ヘッド１３に固定され、第１の反射器２３から離間して、回転軸１６上に同様に位置付けられる。第２の反射器２５は、第１の反射器２３から反射させられた、回転軸１６と一致するレーザビーム２４を受け入れる。第２の反射器２５は、レーザビームを９０度を通じて切断ヘッド１３内に反射し、そこでは、第３の反射器２６が、ヘッド部分１３上の櫛２９に隣接して、反射されたレーザビーム２７を受け入れ且つそれを切断ゾーン２８を横断して方向変更するので、切断ゾーン２８内にある如何なる毛もレーザビーム３０によって切断される。
【００２７】
切断ヘッド１３が回転するときに第１の反射器が移動せず、レーザビーム２２がレーザ源２１から一貫して受け取られ、回転軸１６に沿って反射されるよう、第１の反射器２３はハンドル１２に固定される。第２の反射器２５は切断ヘッド１３に固定され、切断ヘッド１３が回転するときに、回転軸１６について回転する。これは、反射させられるレーザビーム２７が、第２の反射器２５から、同様に切断ヘッド１３に固定される第３の反射器２６に向かって一貫して反射され、引き続き、切断ゾーン２８内に至ることを保証する。このようにして、レーザビーム２４及び回転軸１６は、第１及び第２の反射器２３，２５の間で、常に一致する。レーザビーム２４が回転軸１６と一致しないならば、反射器２３，２５，２６は、ハンドル１２に対する切断ヘッド１３の回転の結果として不整列になり、レーザは切断ゾーン２８に達しないか或いは切断ゾーン２８内で不整列とされるであろう。
【００２８】
第１及び第２の反射器は、回転軸との反射器の光学的整列が余り重大にならないよう、可能な限り直ぐ傍に位置付けられなければならない。より大きな距離に亘って光学的整列を維持することはより挑戦的であるので、反射素子の大きさ及び最大回転角のような機械的限界を考慮に入れて、第１及び第２の反射器を可能な限り近接して位置付けなければならない。
【００２９】
図４は、切断ヘッド１３とハンドル１２とを含むレーザシェーバ３１の第２の実施態様を示している。この実施態様において、ハンドル１２と切断ヘッド１３との間の接続１４は、切断ヘッド１３が、ハンドル１２に向かう方向又はハンドル１２から離れる方向において（図４の矢印「ｄ」の方向において）並進軸１７に沿って直線的に移動し得るような接続である。切断ヘッド１３が切断ヘッド１３を皮膚に押し付けることに起因する如何なる力にも晒されないときに、切断ヘッド１３が中立位置に戻ることを保証するために、その接続１４はバネを備えるスライド又はガイドレールの機構（図示せず）であり得る。
【００３０】
ハンドル１２は、レーザ発生器２１と、少なくともレーザビームがハンドル１２と切断ヘッド１３との間を通る場所で、光軸又は光路が並進軸１７と平行な平面と整列させられるよう配置される、第１及び第２の反射器３２，３３とを含む。ハンドル１２及び／又は切断ヘッド１３内で、レーザビームを並進軸１７に対して垂直な横軸３４に沿っても方向付け得る。レーザ発生器２１は、切断ヘッド１３の方向においてレーザビーム３５を照射し、第１の反射器３２は、そのレーザビーム３５を受け取り且つそれを９０度を通じてハンドル１２を横断する横方向に方向変更するよう位置付けられる。第２の反射器３３は、同じ平面内で第１の反射器３２の反対側に位置付けられ、レーザビーム３６を９０度を通じて切断ヘッド１３内に方向変更する。
【００３１】
切断ヘッド１３は、第２の反射器３３からレーザビーム３８を受け取るよう位置付けられる第３の反射器３７を含む。第３の反射器３７は、光を横方向３４において第４の反射器４０に向かって方向変更し、第４の反射器４０は、このレーザビーム３９を受け取るよう位置付けられる。第４の反射器４０は、レーザビーム３９を第５の反射器４２に向かって並進方向に方向変更するよう位置付けられ、第５の反射器４２は、櫛２９に隣接して、切断ゾーン２８を横断してレーザビーム４１を反射するので、毛が櫛２９内の空間に入るときに、毛はレーザビーム４３への露出によって切断される。
【００３２】
切断ヘッド１３が並進方向１７においてハンドル１２に対して滑動するときに、第２及び第３の反射器３３，３７の間の距離「ｄ」は変更される。第２及び第３の反射器３３，３７の間のレーザビーム３８の部分とヘッド部分１３の移動の並進軸１７との間のレーザビーム３８の部分とヘッド部分１３の移動の並進軸１７とが平行である限り、これは反射器３３，３７とのレーザビーム３８の整列に対して影響せず。よって、切断ヘッド１３は、ハンドル１２に対して滑動し、光学的整列に影響を与えない。
【００３３】
図５は、図４を参照して記載したシェーバ３１の簡略化された実施態様を示している。このシェーバ３１はハンドル１２内に配置される反射器を含まないので、レーザ発生器２１から放射されるレーザビーム３５は、切断ヘッド１３内に配置される第３の反射器３７に直接的に進行し、第３の反射器３７は、前の実施態様におけるように、レーザビーム３５を第４の反射器４０に向かって、次に、第５の反射器４２に向かって反射する。これは必要とされる構成部品の数を減少させ、反射に起因し得るレーザビーム強度の如何なる損失をも減少させる。
【００３４】
ハンドル１２に対する切断ヘッド１３の移動は、レーザ発生器２１と第３の反射器３７との間の距離を変更させる。この移動はレーザビーム３５及び反射器の整列に影響を与えない。
【００３５】
図６は、レーザ発生器２１が前述の構造に対して垂直に位置付けられる代替的なレーザ源の配置を示している。レーザ発生器２１は横方向においてレーザビーム４４を放射し、レーザビーム４４は反射器４５によって切断ヘッド１３に向かって反射される。切断ヘッドがハンドルに対する回転のために取り付けられるか或いは並進のために取り付けられるかに依存して、前述のような更なる反射器を配置し得る。
【００３６】
図７は、他の代替的なレーザ源及び反射器の配置を示している。これは図５を参照して記載した実施態様と類似する実施態様であるが、光学系内により少なく構成部品を備え、よって、光学的に整列させるより少ない構成部品を備える。この実施態様において、切断ヘッド１３は並進軸１７に沿ってハンドル１２に対して直線的に移動し得る。シェーバは、ハンドル１２内に配置されるレーザ源２１と、レーザビーム３５と整列させられる切断ゾーン２８のある側に位置付けられる反射器２６とを含む。切断ゾーン２８内に存在する如何なる毛も切断されるよう、反射器２６は切断ゾーン２８を横断してレーザビーム３５を方向付ける。並進軸１７に沿うハンドル１２に対する切断ヘッド１３の移動は、反射器２６とレーザ源２１との間の距離を変える。レーザ源２１と第１の反射器２６との間のレーザビームの光軸は、並進軸１７と平行である。従って、レーザ源２１及び反射器２６の光学的整列は、切断ヘッドの移動中に影響されない。
【００３７】
図８は、ハンドル１２に対して回転方向及び並進方向の両方に移動可能である切断ヘッド１３を備えるレーザシェーバ１３のある実施態様を示している。切断ヘッド１３は回転軸１６について回転し、並進軸１７に沿って並進する。レーザ源２１がハンドル１２内に配置され、レーザビーム２２を切断ヘッド１３に向かって並びに切断ヘッド１３内に方向付ける。第１の反射器３７が切断ヘッド１３と共に並進方向において移動するが、切断ヘッド１３が回転するときに回転しないよう、第１の反射器３７が回転軸１６と一致して切断ヘッド１３内に位置付けられ、切断ヘッド１３に接続される。反射器３７はレーザ源２１からレーザビーム２２を遮り、それを同時に回転軸１６に沿って方向付ける。回転軸１６と一致するレーザビーム３９の部分は第２の反射器４０によって遮られ、第２の反射器は切断ゾーン２８に向かってレーザビームを方向付け、そこでは、第３の反射器４２が切断ゾーン２８を横断してレーザビームを方向付けて毛を切断する。切断ヘッド１３が切断ヘッドの全ての位置のために光学的整列を維持するときに、第２及び第３の反射器が回転し且つ移動するよう、第２及び第３の反射器は切断ヘッド１３に剛的に取り付けられる。
【００３８】
ハンドル１２に対する切断ヘッド１３の回転及び並進の組み合わせは、輪郭追従性能の改良をもたらし、シェーバの有効性を増大させる。
【００３９】
各レーザ発生器２１は、レーザダイオード、ＤＰＳＳ、ＯＰＯ、又は任意の他のコヒーレント光の源を含み得る。多数の切断レーザビームを異なる平面内で同時に用い得る。これは多数のレーザ源を必要とし得る。２つの切断ビームを創り出すために反射素子によって方向付け得る２つのビームを創り出すためにビームスプリッタが用いられるならば、多数の切断ビームを創り出すために、１つのレーザ源だけを用いることも可能である。更に、切断ビームが切断ゾーンを既に通過し、多数の切断ビームを創り出すために切断ゾーン内に戻された後に、更なる反射素子によって切断ビームを方向変更し得る。「含む」という用語は他の素子又はステップを排除しないこと並びに単数形の使用は複数形を排除しないことが理解されるであろう。特定の手段が相互に異なる従属項中に引用されているという単なる事実は、これらの手段の組み合わせを有利に使用し得ないことを示さない。請求項中の如何なる参照記号も請求項の範囲を限定するものとして解釈されてはならない。
【００４０】
この出願において請求項は機能の特定の組み合わせに関して策定されているが、本発明の開示の範囲は、明示的であれ、暗示的であれ、ここに開示される如何なる新規な機能又は機能の如何なる新規な組み合わせも含むこと、並びにそれが何れかの請求項において現時点で請求されている発明と同じ発明に関係しようが関係しまいが、それが本発明と同じ技術的課題の一部又は全部を軽減しようが軽減しまいが、それらの如何なる一般化も含むことが理解されなければならない。出願人は、本出願又は本出願に由来する何れかの更なる出願の審査中に、そのような機能及び／又は機能の組み合わせに関して新しい請求項を策定し得ることをここに通知する。
【００４１】
以下の請求項の範囲に入る他の変更及び変形が当業者に明らかであろう。
【図１】
2015509748.tif 000003
【図２】
2015509748.tif 000004
【図３】
2015509748.tif 000005
【図４】
2015509748.tif 000006
【図５】
2015509748.tif 000007
【図６】
2015509748.tif 000008
【図７】
2015509748.tif 000009
【図８】
2015509748.tif 000010
【国際調査報告】
2015509748.tif 000011
2015509748.tif 000012